(57)【要約】      （修正有）【課題】重量バランスのチューニングが容易なボルト方式重量調整機能ゴルフヘッドを提供する。【解決手段】ゴルフクラブのヘッドの正面側フェースから背後側にかけてドリルで穴を貫通させ、その空けた穴にボルト形状の重量調整用錘を組み付けてゴルフクラブヘッドと一体化した。【選択図】図１
2015051254.tif 000002
【特許請求の範囲】
【請求項１】
ボルト形錘  ボルト方式重量調整機能ゴルフクラブ
錘の製造過工は一般に管用（くだよう）ねじと呼ばれているねじプラグという商品の先端部分を切り取って平行山のボルトに製造し同頭部上をスリット型に切り込んで先端をすりわりの頭に加工して重量調整用の錘とし使用できるマイナスドライバーだけで全ボルトの錘のチューニングが簡単に出来る様に物品の製造と物品の組み合わせでドリルで貫通させられた空いた穴にめねじ立てをして新しく製造したボルト形錘を穴に組み付ける。
2015051254.tif 000003
上部にマイナスと呼ばれているスリット形のくぼみがある頭です。
マイナスドライバーが使用されます。
▲１▼すりわり
本発明の錘のボルト錘製造方法は管用（くだよう）ねじと呼ばれているねじプラグのねじを平行ストレート形状のボルトにしボルトの頭部を切り取ってその頭をすりわりにした。
▲２▼平行山のボルト
全ねじボルトの先端部分を切り取って上頭部の形をすりわりにし１本のマイナドライバーだけでチューニングを容易に行う事が出来る様にした。
▲３▼平行ストレート形状のボルト
錘のボルトそのものの重さを利用しもっと重い錘を要求するなら比重の異なる素材のボルトを加工制作して出来る。
▲４▼錘の製造加工
錘の製造加工は一般に管用（くだよう）ねじと呼ばれているねじプラグという商品をボルトに製造加工してボルトそのものを錘にしその先端部分を切り取って平行山のボルトに製造する。
▲５▼スリット形に切り込む
同頭部上をスリット形に切り込んで先端をすりわりの頭に加工して重量調整用の錘とする
▲６▼マイナスドライバー
使用できるマイナスドライバーだけで全ボルトの錘のチューニングが簡単に出来る様に物品の製造と物品を組み合わせる。
▲７▼貫通させられた穴
ドリルで貫通させられた空けた穴にめねじ立てをして新しく製造したボルト形錘を穴に組み付ける時にボルトの錘がめねじを貫通出来る様にひと山分だけ奥に組み付けを行う。
▲８▼作業前
これらの作業前にボルトに配管用シールテープをゆるみ防止用としてボルトに巻きつける。
▲９▼ゴルフボール
同ボルトの上頭部をすりわりにして目ねじに貫通出来る様に製造し頭の部分が深くねじ込める様にしてゴルフボールが当たらない様にした。以上の事が私の権利です。
【請求項２】
ゴルフクラブヘッドのチューニングに関するものである。
従来のチューニング用の鉛の錘を接着方式を本発明のボルト形状錘に置き換えた。
本発明のあらましはゴルフクラブのヘッドに穴を正面側フェースから背後側にかけてドリルで穴を貫通させてその空けた穴に新しく製造した重量調整用錘のボルト形状の錘を同穴に組み付けてバランスの錘としてヘッドのチューニング用としゴルフクラブヘッドに装着して一体化した。
2015051254.tif 000004
ゴルフクラブのヘッドに穴を正面フェースから背後側にかけてドリルで貫通させてその空けた穴を活用する事。以上の事が私の権利です
【発明の詳細な説明】
【技術分野】
【０００１】ゴルフクラブヘッドのチューンイングに関するものである。
従来のチューニング用の鉛の錘を接着方式に本発明のボルト形状錘に置き換えた。
本発明のあらましはゴルフクラブのヘッドに穴を正面側フェースから背後側にかけてドリルで穴を貫通させてその空けた穴に新しく製造した重量調整用錘のボルト形状の錘を同穴に組み付けてバランスの錘としてヘッドのチューニング用としゴルフクラブヘッドに装着して一体化した。
同錘は一般に管用（くだよう）ねじプラグという商品を今までになかった全ボルト平行ストレートにして上面の頭をすりわりにしてマイナスドライバー１本だけで全チューニングが容易に出来る様にした。
ボルト形錘に置き換える事で課題を解決した。
【背景技術】
【０００２】従来の鉛の錘をクラブヘッドの背後側に貼るだけで充分なチューニングが出来なかった。
本発明はボルトを新しく製造した重量調整用錘のボルト形状の錘をゴルフクラブヘッドにドリルで貫通させてその空けた穴に組み付けてバランス用の錘とし鉛を貼る方式に置き換えて機械的な本発明のボルト方式重量調整機能ゴルフヘッドに一体化した。
【先行技術文献】
【０００３】
【特許文献１】
【発明の概要】
【発明が解決しようとする課題】
【０００４】今までの商品の構造上の欠点は鉛の錘をクラブヘッドの背後側に貼るだけでは充分なチューニングが困難で特に背後側のソール部分は貼る場所が狭く困難だったが私はそのソール部分に新しく制作したボルト形錘に置き換える事で課題を解決した。
【課題を解決するための手段】
【０００５】今までの商品上の欠点は鉛の錘のクラブヘッドに貼るだけでは充分なチューニングが困難で特に背後側のソール底部は貼る場所が狭く困難だった。
薄い鉛の錘を貼る場所がなく困難だった場所に新しく製造加工したボルト形錘（バランサー）と重量調整用ボルト形錘をドリルで貫通させられた空いた穴に鉛の錘をボルト形錘に置き換える事でボルトをチューング用としゴルフクラブヘッドに装着して一体化した。
【発明の効果】
【０００６】本発明を実施する為にゴルフクラブのヘッドに穴を正面側フェースから背後側にかけてドリルで穴を空け加工しその空けた穴に新しく製造した重量調整ボルト形錘を組み込んでチューニング用としてゴルフクラブのヘッドに一体化する事で従来よりもチューニングが容易に出来る様にした。従来の鉛の錘はヘッドの背後側に貼るだけでは充分にチューニングが出来なかった。特に背後側のソール部分は貼る場所が狭く困難だったが私はそのソール部分に新しく制作したボルト形錘に置き換える事で課題を解決した。
【図面の簡単な説明】
【０００７】
【図１】本発明の斜視図である。本発明はゴルフクラブのヘッドに正面側から穴を背後側にかけてドリルで貫通させてその空けた穴に新しく製造した重量調整用錘のボルト形状の錘を同穴に組み付けてバランス用の錘としクラブヘッドのチューニング用として装着クラブヘッドに一体化し従来のチューニング用の錘をボルト用の錘をボルト形錘にしてゴルフヘッドに錘を装着方式にしボルト形錘に置き換えた。ボルト形錘の組み付けを行いボルトの先端が平面に飛び出さない様に先端にひと山分だけ深くねじ込んでゴルフボールに当たらない様にした。
【発明を実施するための形態】
【０００８】従来のチューニング用の鉛の錘を接着方式を新しく製造した重量調整用ボルト形錘をドリルで貫通させてその空けた穴に新しく製造した重量調整用のボルト形状の錘を同穴に組み付けてバランスのチューニング用の錘としてゴルフクラブヘッドに装着して一体化した。
従来の鉛の錘はヘッドの背後側に貼るだけでは充分にチューニング出来なかった。
特に背後側のソール底部は貼る場所が狭く困難だったがそのソール部分に新しく製造した重量調整用ボルト形錘を装着し一体化して本発明の効果が得られた。
【符号の説明】
【０００９】図面の７枚にて各説明あり    −１−２−３−４−５−６−７−
【図１】
2015051254.tif 000005
【図２】
2015051254.tif 000006
【図３】
2015051254.tif 000007
【図４】
2015051254.tif 000008
【図５】
2015051254.tif 000009
【図６】
2015051254.tif 000010
【手続補正書】
【提出日】平成26年4月15日(2014.4.15)
【手続補正１】
【補正対象書類名】明細書
【補正対象項目名】全文
【補正方法】変更
【補正の内容】
【発明の詳細な説明】
【技術分野】
【０００１】この発明はゴルフクラブのチューニングに関する物である。
従来のチューニング用の鉛の錘を接着方式でボルト型状錘に置き換えた。
本発明のあらましはゴルフクラブのヘッドに穴を正面側フェースから背後にかけてドリルで穴を貫通させてその空けた穴に新しく製造した重量調整用錘をボルト型状の錘を同穴に組み付けてバランスの錘としてゴルフクラブヘッドに装着して一体化した。
【背景技術】
【０００２】本発明の錘のボルト製造方法は管用（くだよう）ねじと呼ばれているねじプラグを平行ストレート形状にしボルトの頭部を切り取ってその頭をすりわりにした。
全ねじボルトの先端部分を切り取って上頭部の形をすりわりにし１本のマイナスドライバーだけでチューニングを容易に出来る様にした。
平行ストレート形状のボルト
錘のボルトそのものの重さを利用しもっと重い錘を要求するなら比重の異なる素材のボルトを加工製作して出来る。
従来の鉛の錘はクラブヘッドの背後側に貼るだけで充分なチューニングが出来なかった。
本発明はボルトを新しく製造した重量調整機能のボルト型状の錘としてクラブヘッドにドリルで貫通させてその空けた穴に組み付けてバランス用の錘とし鉛を貼る方式に置き換えて機械的な本発明のボルト方式重量調製機能ゴルフヘッドに一体化した。
【先行技術文献】
【０００３】同錘は一般に管用（くだよう）ねじプラグという商品を今までになかった全ボルト平行ストレートにして上面の頭をすりわりにしてないナスドライバー１本だけで全チューニングが出来る様にしボルト型錘に置き換える事で課題を解決した。
【発明の概要】
【発明が開発しようとする課題】
【０００４】今までの商品の欠点は鉛の錘をクラブヘッドの背後側に貼るだけでは充分なチューニングが困難で特に背後側のソール部分は貼る場所が狭く困難だったが私はそのソール部分に新しく製作したボルト型錘に置き換える事で課題を解決した。
特に背後側のソール底部は鉛の錘を貼る場所が狭く困難だった場所を重量調整用ボルト型状錘に置き換えて（バランサー）と重量調整用ボルト型錘をドリルで貫通させられたていた穴にボルト型状の錘に置き換える事でボルトを組み込む事でチューニング用としてゴルフクラブに一体化した。
【課題を解決するための手段】
【０００５】本発明を実施する為にゴルフクラブのヘッドに穴を正面側フェースから背後側にかけてドリルで穴を空け加工してその空けた穴に新しく製造した重量調整ボルト型錘を組み込んでチューニング用としてゴルフクラブに一体化する事で従来よりもチューニングが容易に出来る様にした。従来の鉛の錘はヘッドの背後側に貼るだけでは充分にチューニグ出来なかった。特に背後側のソール部分は貼る場所が狭く困難だったが私はそのソール部分に新しく製作したボルト型錘に置き換える事で課題を解決した。
【発明の効果】
【０００６】新しく製造した重量調整錘ボルト型状の錘を同穴に組み付けてバランスの錘としてゴルフクラブに装着して一体化しマイナスドライバー１本だけで全チュニングが容易こ出来る様にした
【図面の簡単な説明】
【０００７】
【図１】本発明の断面図である。
【図２】本発明のアイアンクラブに適用図である。
【図３】底面図である。
【図４】本発明のチューイング用ボルト形状錘
【図５】本発明のアドレス時のパターとボールの様子
【発明を実施する為の形態】
【０００８】従来のチューニング用の鉛の錘を接着方式を新しく製造した重量調整用ボルト型錘をドリルで貫通させてその空けた穴に新しく製造した重量調整用のボルト型式の錘を同穴に組み付けてチューニング用の錘としてゴルフクラブヘッドに装着して一体化して本発明の効果かが得られた。
【符号の説明】
【０００９】
【符号の説明】０００１（図１）
本発明のあらましはゴルフクラブのヘッドに穴を正面側フェースから背後側にかけてドリルで穴を貫通させてその穴に新しく製造した重量調整用錘のボルト型状の錘を同穴に組み付けてバランスの錘としてヘッドのチューニング用としゴルフクラブヘッドに装着して一体化した。
同ボルトの上頭部をすりわりにして目ねじの穴に貫通できる様に製造してある。
０００２（図２），０００１，０００５
新しく製造した重量調整用錘のボルト型状の錘を貫通された同穴に組み付けてバランサーの錘としてゴルフクラブヘッドに装着して一体化した。
錘を深くねじ込んで同ボルトの頭部のすりわりがゴルフボールに当たらない様にした。
０００３（図１）
特に背後側のソール底部は鉛の錘を貼る場所が狭く困難だった場所を重量調整用ボルト型状錘に置き換えて（バランサー）と重量調整用ボルト型錘をドリルで貫通させられた開いた穴にボルト型状の錘に置き換える事でボルトを組み込む事でチューニング用としてゴルフクラブに一体化した。
０００４（図３），０００２，０００３，０００１
正面側フェースから背後側にかけてドリルで穴を開け加工しその穴を空ける場所を選定しゴルフボールのヒッティングエリアを設ける様に穴を貫通させてある。
０００５（図４）
錘の加工は一般に管用（くだよう）ねじと呼ばれているねじプラグという商品をボルトに製造加工してボルトそのものを錘にしその先端部分を切り取って平行山ねじに製造してあり１本のマイナスドライバーだけで全ボルトの錘のチューニングが簡単に出来る様に同頭部をスリット型に切り込んで先端をすりわりの頭に加工して重量調整用の錘の錘にしてある。
０００６（図５）
同ボルトの上頭部をすりわりにして目ねじに貫通出来る様に製造し頭の部分が深くねじこめる様にしてゴルフボールが当たらない様にした。
【手続補正２】
【補正対象書類名】特許請求の範囲
【補正対象項目名】全文
【補正方法】変更
【補正の内容】
【特許請求の範囲】
【請求項１】
ゴルフクラブヘッドのチューニングに関する物である。
従来のチューニング用の鉛の錘を接着方式を本発明のボルト型状錘に置き換えた本発明のあらましはゴルフクラブのヘッドに穴を正面側フェースから背後側にかけてドリルで穴を貫通させてその空けた穴に新しく製造した重量調整用錘のボルト型状の錘を同穴に組み付けてバランスの錘としてヘッドのチューニング用としゴルフクラブヘッドに装着して一体化した。
本発明の錘のボルト錘製造方法は管用（くだよう）ねじと呼ばれているねじプラグを平行ストレート形状のボルトにボルトの頭部を切り取ってその頭をすりわりにした。
全ねじボルトの先端部分を切り取って上頭部の形をすりわりにし１本のマイナスドライバーだけでチューイングを容易に出来る様にした．
錘のボルトそのものの重さを利用しもっと重い錘を要求するなら比重の異なる素材のボルトを加工製作して出来る。
正面フェースから背後側にかけてドリルで穴を開け加工しその空けた穴にめねじ立てをし新しく製造した重量調整用錘のボルト型状の錘を同穴に組み付けてバランスの錘とししヘッドのチューニング用としゴルフクラブヘッドに組み付けてバランスの錘としてヘッドのチューニング用としゴルフクラブヘッドに装着して一体化した。
私の権利は上記の技術的な部分です。
【請求項２】
錘のボルトそのものの重さを利用しもっと重たい錘を要求するなら比重の異なる素材のボルトを加工製作としてできる。
ドリルで貫通させられた空けた穴にめねじを立てをして新しく製造したボルト型錘を穴に組み付ける時にボルトの錘をひと山分だけ奥に組み付けを行う。
これらの作業前にボルトに配管用シールテープをゆるみ防止としてボルトに巻きつける同ボルトの上頭部をすりわりにしてめねじの穴に貫通できる様に製造してありボルト型錘を深くねじ込んで同ボルトの頭部のすりわりがゴルフボールに当たらない様にした。
本発明の錘のボルト錘製造方法は管用（くだよう）ねじと呼ばれているねじプラグを平行ストレート形状のボルトにしボルトの頭部を切り取ってその頭をすりわりにした。
全ねじボルトの先端部分を切り取って上頭部のかたちをすりわりにし１本のマイナスドライバーだけでチューニングを容易に出来る様にした。
従来のチューニング用の鉛の錘を接着方式を新しく製造した重量調整用ボルト型錘をドリルで貫通させてその空けた穴に新しく製造した重量調整用のボルト型式の錘を同穴に組み付けてチューニング用の錘としてゴルフクラブヘッドに装着して一体化した。
本発明のボルト方式重量調整機能ゴルフクラブの製造方法が私の権利です。
【手続補正３】
【補正対象書類名】図面
【補正対象項目名】全図
【補正方法】変更
【補正の内容】
【図１】
2015051254.tif 000011
【図２】
2015051254.tif 000012
【図３】
2015051254.tif 000013
【図４】
2015051254.tif 000014
【図５】
2015051254.tif 000015